(57)【要約】【課題】入力画像データと異なる輝度範囲の表示画像データを表示する際に、低輝度の視認性が高い画像を表示可能な表示装置を提供する。【解決手段】表示装置（１００）は、入力画像データの輝度関連値の第１範囲を表す第１範囲情報を取得する第１取得部（１０２）と、画像表示の際の高輝度関連値と低輝度関連値とを取得し、高輝度関連値と低輝度関連値とに基づいて第１範囲よりも狭い第２範囲を表す第２範囲情報を決定する第２取得部（１０４）と、第１範囲情報と第２範囲情報とに基づいて第１範囲を第２範囲に変換する処理を入力画像データに施して、表示画像データを生成する画像処理部（１０５）と、表示画像データに基づく画像を表示する表示部（１０６）とを有する。【選択図】図１
2019169819.tif 000002
【特許請求の範囲】
【請求項１】
入力画像データの輝度関連値の第１範囲を表す第１範囲情報を取得する第１取得部と、
画像表示の際の高輝度関連値と低輝度関連値とを取得し、前記高輝度関連値と前記低輝度関連値とに基づいて前記第１範囲よりも狭い第２範囲を表す第２範囲情報を決定する第２取得部と、
前記第１範囲情報と前記第２範囲情報とに基づいて前記第１範囲を前記第２範囲に変換する処理を前記入力画像データに施して、表示画像データを生成する画像処理部と、
前記表示画像データに基づく画像を表示する表示部と、を有することを特徴とする表示装置。
【請求項２】
前記高輝度関連値は白設定値であり、前記低輝度関連値は黒設定値であることを特徴とする請求項１に記載の表示装置。
【請求項３】
前記高輝度関連値は、前記表示画像データの最大輝度関連値であり、
前記低輝度関連値は、前記表示画像データの最小輝度関連値であることを特徴とする請求項１または２に記載の表示装置。
【請求項４】
前記画像処理部は、前記第１範囲のうち前記第２範囲よりも低輝度側の範囲における前記入力画像データの輝度関連値を、前記低輝度関連値に変換することを特徴とする請求項１乃至３のいずれか１項に記載の表示装置。
【請求項５】
前記表示画像データの輝度関連値は、前記第２の範囲において前記入力画像データの前記輝度関連値と等しいことを特徴とする請求項４に記載の表示装置。
【請求項６】
前記第２取得部は、前記高輝度関連値と表示コントラストとに基づいて前記低輝度関連値を決定することを特徴とする請求項１乃至５のいずれか１項に記載の表示装置。
【請求項７】
前記表示コントラストは、前記表示部に表示可能な最大輝度と最小輝度との比であることを特徴とする請求項６に記載の表示装置。
【請求項８】
前記輝度関連値は、輝度であることを特徴とする請求項１乃至７のいずれか１項に記載の表示装置。
【請求項９】
前記輝度関連値は、光が物体で反射する際の反射率であることを特徴とする請求項１乃至７のいずれか１項に記載の表示装置。
【請求項１０】
ユーザ操作を受け付けるための操作画面を前記表示部に表示する操作表示部を更に有し、
前記第２取得部は、前記操作表示部を介して入力された情報に基づいて、前記低輝度関連値を取得することを特徴とする請求項１乃至９のいずれか１項に記載の表示装置。
【請求項１１】
前記操作表示部は、前記ユーザが前記低輝度関連値を調整するための調整バーを有し、
前記調整バーの目盛りは対数表記であることを特徴とする請求項１０に記載の表示装置。
【請求項１２】
前記表示部は、前記操作画面に表示輝度範囲を表示することを特徴とする請求項１０または１１に記載の表示装置。
【請求項１３】
入力画像データの輝度関連値の第１範囲を表す第１範囲情報を取得するステップと、
画像表示の際の高輝度関連値と低輝度関連値とを取得し、前記高輝度関連値と前記低輝度関連値とに基づいて前記第１範囲よりも狭い第２範囲を表す第２範囲情報を決定するステップと、
前記第１範囲情報と前記第２範囲情報とに基づいて前記第１範囲を前記第２範囲に変換する処理を前記入力画像データに施して、表示画像データを生成するステップと、
前記表示画像データに基づく画像を表示するステップと、を有することを特徴とする表示装置の制御方法。
【請求項１４】
請求項１３に記載の表示装置の制御方法をコンピュータに実行させることを特徴とするプログラム。
【発明の詳細な説明】
【技術分野】
【０００１】
本発明は、画像を表示する表示装置に関する。
【背景技術】
【０００２】
近年、最大輝度が１０００ｎｉｔを超えるＨＤＲ（Ｈｉｇｈ  Ｄｙｎａｍｉｃ  Ｒａｎｇｅ）と呼ばれる広い輝度範囲を有する画像信号が定義されている。一方、画像信号を表示する表示装置は、光変調部材の性能、電力や熱設計の制限等により、画像信号に定義されている輝度範囲の全てを表示することができない場合がある。
【０００３】
特許文献１には、第１の輝度範囲で定義された画像信号のうち、表示する最大輝度に基づいて、第１の輝度範囲で定義された画像信号を第２の輝度範囲に変換して表示する画像表示装置が開示されている。特許文献２には、第１の輝度範囲で定義された画像信号のうち、ＵＩ（Ｕｓｅｒ  Ｉｎｔｅｒｆａｃｅ）で決定された最大輝度に基づいて第１の輝度範囲で定義された画像信号を第２の輝度範囲に変換して表示する変換装置が開示されている。
【先行技術文献】
【特許文献】
【０００４】
【特許文献１】特開２０１６−１７３４７７号公報
【特許文献２】特開２０１７−５０８４０号公報
【発明の概要】
【発明が解決しようとする課題】
【０００５】
しかしながら、特許文献１及び特許文献２では、表示装置の表示可能な最小輝度が考慮されていない。例えば、有機エレクトロフミネッセンスの表示パネルを有する表示装置では輝度範囲の低輝度側が広く表示可能な最小輝度が低い。一方、プロジェクタなどでは輝度範囲の低輝度側が狭く表示可能な最小輝度が高い。このため、例えば、表示する最大輝度を同一にして表示しても、表示可能な最小輝度の異なる２台の表示装置で見比べると低輝度側の見え方が異なる。
【０００６】
そこで本発明は、入力画像データと異なる輝度範囲の表示画像データを表示する際に、低輝度の視認性が高い画像を表示可能な表示装置、表示装置の制御方法、および、プログラムを提供することを目的とする。
【課題を解決するための手段】
【０００７】
本発明の一側面としての表示装置は、入力画像データの輝度関連値の第１範囲を表す第１範囲情報を取得する第１取得部と、画像表示の際の高輝度関連値と低輝度関連値とを取得し、前記高輝度関連値と前記低輝度関連値とに基づいて前記第１範囲よりも狭い第２範囲を表す第２範囲情報を決定する第２取得部と、前記第１範囲情報と前記第２範囲情報とに基づいて前記第１範囲を前記第２範囲に変換する処理を前記入力画像データに施して、表示画像データを生成する画像処理部と、前記表示画像データに基づく画像を表示する表示部とを有する。
【０００８】
本発明の他の側面としての表示装置の制御方法は、入力画像データの輝度関連値の第１範囲を表す第１範囲情報を取得するステップと、画像表示の際の高輝度関連値と低輝度関連値とを取得し、前記高輝度関連値と前記低輝度関連値とに基づいて前記第１範囲よりも狭い第２範囲を表す第２範囲情報を決定するステップと、前記第１範囲情報と前記第２範囲情報とに基づいて前記第１範囲を前記第２範囲に変換する処理を前記入力画像データに施して、表示画像データを生成するステップと、前記表示画像データに基づく画像を表示するステップとを有する。
【０００９】
本発明の他の側面としてのプログラムは、前記表示装置の制御方法をコンピュータに実行させる。
【００１０】
本発明の他の目的及び特徴は、以下の実施例において説明される。
【発明の効果】
【００１１】
本発明によれば、入力画像データと異なる輝度範囲の表示画像データを表示する際に、低輝度の視認性が高い画像を表示可能な表示装置、表示装置の制御方法、および、プログラムを提供することができる。
【図面の簡単な説明】
【００１２】
【図１】実施例１における表示装置のブロック図である。
【図２】実施例１における表示装置の入力画像データの階調値と輝度との関係図である。
【図３】実施例１における表示装置のＧＵＩ表示の一例である。
【図４】実施例１における表示装置の入力階調値と表示階調値との関係図である。
【図５】実施例１における表示装置の入力輝度値と表示輝度値との関係図である。
【図６】実施例２における表示装置のＧＵＩ表示の一例である。
【図７】実施例３における表示装置のＧＵＩ表示の一例である。
【図８】実施例３における表示装置のＧＵＩ表示の一例である。
【発明を実施するための形態】
【００１３】
以下、本発明の実施例について、図面を参照しながら詳細に説明する。
【実施例１】
【００１４】
（構成の説明）
まず、図１を参照して、本発明の実施例１における表示装置の構成について説明する。図１は、本実施例における表示装置１００のブロック図である。表示装置１００は、画像信号入力部１０１、信号レンジ情報取得部１０２、ユーザインタフェース部１０３、表示レンジ情報取得部１０４、画像処理部１０５、および、表示部１０６を備えて構成される。なお、表示装置１００は、テレビやモニタなどのディスプレイ、または、プロジェクタ（投射型表示装置）のいずれでもよい。
【００１５】
画像信号入力部１０１は、例えば、ＨＤＭＩ（登録商標）、ＤＶＩ（Ｄｉｇｉｔａｌ  Ｖｉｓｕａｌ  Ｉｎｔｅｒｆａｃｅ）、ＤｉｓｐｌａｙＰｏｒｔなどの画像信号の入力端子である。画像信号入力部１０１は、パーソナルコンピュータやビデオプレイヤなどの画像信号出力機器と接続される。画像信号入力部１０１は、画像信号出力機器から出力される画像データ（入力画像データ）を受信し、受信した画像データを画像処理部１０５に出力する。
【００１６】
信号レンジ情報取得部（第１取得部）１０２は、画像データの信号レンジを示す信号レンジ情報（第１範囲情報）を取得する。信号レンジは、入力画像データ（画像信号）のダイナミックレンジである。具体的には、信号レンジは、画像データが対象とする輝度関連値（絶対輝度または相対輝度）の範囲（第１範囲）である。信号レンジは、入力画像データで想定される輝度関連値の範囲ということもできる。このように信号レンジ情報取得部１０２は、入力画像データの輝度関連値の第１範囲を表す第１範囲情報を取得し、取得した第１範囲情報（信号レンジ情報）を画像処理部１０５に出力する。
【００１７】
なお、信号レンジは、入力画像データのメタデータに含まれる情報であってもよい。輝度関連値は、輝度に関連する値であり、例えば輝度（ｎｉｔ）または光が物体で反射する際の反射率（％）である。本実施例では、輝度関連値が輝度（ｎｉｔ）で表現される場合の例を説明する。また本実施例において、入力画像データが対象とする輝度が０〜４０００ｎｉｔであり、入力画像データの信号レベル（階調値）は１０ビットの値（０〜１０２３）であるものとする。
【００１８】
ユーザインタフェース部１０３は、ユーザ操作を受け付けるための操作画面を表示部１０６に表示する操作表示部である。ユーザインタフェース部１０３は、ユーザにより操作されるリモコンやボタンなどの操作デバイスとＧＵＩ（Ｇｒａｐｈｉｃｓ  Ｕｓｅｒ  Ｉｎｔａｒｆａｃｅ）とを有し、入力画像データのうち表示部１０６に表示される画像のレンジを調整するＧＵＩを表示する。なお、ＧＵＩの表示例は後述する。
【００１９】
表示レンジ情報取得部（第２取得部）１０４は、ユーザインタフェース部１０３からの出力信号に基づいて、入力画像データの輝度関連値の範囲（第１範囲）のうち表示部１０６に表示される輝度関連値の範囲（第２範囲）である表示レンジ情報を取得する。表示レンジ情報は、輝度関連値の範囲の高輝度側を示す高輝度関連値（白設定値）と、輝度関連値の範囲の低輝度側を示す低輝度関連値（黒設定値）とを含む。換言すると、高輝度関連値は表示画像データの最大輝度関連値であり、低輝度関連値は表示画像データの最小輝度関連値である。
【００２０】
本実施例において、表示レンジ情報は、例えば、ユーザインタフェース部１０３を介して調整される。表示レンジ情報が画像信号入力部１０１に入力される画像信号（画像データ）に含まれて伝送される場合、画像信号から表示レンジ情報を取得するように構成してもよい。このように表示レンジ情報取得部１０４は、画像表示の際の高輝度関連値と低輝度関連値とを取得し、高輝度関連値と低輝度関連値とに基づいて第１範囲よりも狭い第２範囲を表す第２範囲情報を決定（取得）する。そして表示レンジ情報取得部１０４は、取得した第２範囲情報（表示レンジ情報、すなわち高輝度関連値と低輝度関連値とで決定される範囲情報）を画像処理部１０５に出力する。
【００２１】
画像処理部１０５は、信号レンジ情報取得部１０２から出力された信号レンジ情報と、表示レンジ情報取得部１０４から出力された表示レンジ情報と、に基づくレンジ変換処理（第１画像処理）を、入力画像データに施す。これにより画像処理部１０５は、表示画像データ（第１処理画像データ）を生成する。すなわち画像処理部１０５は、第１範囲情報（信号レンジ情報）と第２範囲情報（表示レンジ情報）とに基づいて第１範囲を第２範囲に変換する処理を入力画像データに施して、表示画像データを生成する。
【００２２】
レンジ変換処理は、入力画像データの各階調値を変更する処理であり、入力画像データの輝度関連値の範囲から表示部１０６に表示される輝度関連値の範囲に変更する処理である。本実施形態では、入力画像データの輝度範囲のうち表示レンジ範囲に相当する入力画像データを表示範囲の輝度に一致させるようにレンジ変換処理を行う。これにより、入力画像データの輝度範囲のうち表示レンジ範囲の表示画像データの階調特性は入力画像データの階調特性に近い特性となる。なお画像処理部１０５は、画像データの変換を計算式により行うことができ、または、画像データの入力レベルを出力レベルに変換するＬＵＴ（Ｌｏｏｋ−Ｕｐ−Ｔａｂｌｅ）により行ってもよい。画像処理部１０５は、生成した表示画像データを表示部１０６に出力する。なお本実施例において、表示画像データの階調値は１０ビット（０〜１０２３）であるものとするが、これに限定されるものではない。
【００２３】
表示部１０６は、画像処理部１０５から出力された表示画像データに基づく画像を表示する。表示部１０６が液晶ディスプレイである場合、表示部１０６はバックライトおよび液晶パネルを含む。また、表示部１０６が有機エレクトロルミネッセンス（有機ＥＬ）ディスプレイの場合、表示部１０６は有機エレクトロルミネッセンスの表示パネルを含む。また、表示部１０６がプロジェクタの場合、表示部１０６はレーザやランプなどの光源部、液晶パネルなどの表示パネル、および、投射レンズなどを含む。
【００２４】
（動作例の説明）
次に、本実施例における表示装置１００の動作について詳述する。図２は、画像信号入力部１０１に入力される画像データ（入力画像データ）の輝度特性の一例である。図２において、横軸は入力画像データの階調値、縦軸は輝度（ｎｉｔ）をそれぞれ示している。入力画像データは、実線１５０で示されるように、階調値０〜１０２３に対応して輝度０〜４０００ｎｉｔで定義されている。したがって、図２に示される入力画像データの信号レンジ情報（第１範囲情報）は、０〜４０００ｎｉｔである。
【００２５】
図３は、ユーザインタフェース部１０３が表示するＧＵＩ（ＧＵＩ表示）の一例である。図３において、ＧＵＩは調整可能な輝度範囲を示す調整バー２０１および矢印２０２、２０３から構成される。調整バー２０１の最大値と最小値は、入力画像データの信号レンジ情報に基づいて決定される本実施形態では信号レンジ情報が０〜４０００ｎｉｔであるため、最大値は４０００ｎｉｔ、最小値は０ｎｉｔとなる。表示コントラストの高い、すなわち最小輝度の低い表示装置では、ゼロに近い値まで調整しても入力画像データの階調特性に近い特性で表示することができる。一方、表示コントラストが低い、例えば表示コントラスト（最大輝度：最小輝度）が１０００：１の表示装置では、低輝度関連値は高輝度関連値の１０００分の１の値まで調整しても入力画像データの階調特性に近い特性で表示することができる。
【００２６】
矢印２０２は表示レンジの高輝度関連値（白設定値）、矢印２０３は表示レンジの低輝度関連値（黒設定値）を示す。矢印２０２で示される表示レンジの高輝度関連値は、信号レンジ情報の最大値である４０００ｎｉｔまでの範囲内でユーザが自由に調整することが可能である。一方、矢印２０３で示される表示レンジの低輝度関連値は、表示装置１００が表示可能な最小輝度（黒輝度）以上の範囲内でユーザが自由に調整することができる。以下、例として、高輝度関連値をＬＨ（ｎｉｔ）、低輝度関連値をＬＬ（ｎｉｔ）に調整した場合を説明する。
【００２７】
画像処理部１０５は、信号レンジ情報（０〜４０００ｎｉｔ：第１範囲情報）および表示レンジ情報（ＬＬ〜ＬＨ（ｎｉｔ）：第２範囲情報）に基づいて、入力画像データのレンジ変換処理を行う。レンジ変換処理では、最初に入力画像データを輝度リニアに変換する。例えば、図２に示される入力画像データの信号レンジ情報が０〜４０００ｎｉｔ、輝度特性がγ２．２、入力画像データの階調値がＩＭＧＩＮであるとすると、入力画像データの輝度リニアＩＭＧＬは、以下の式（１）のように表される。
【００２８】
ＩＭＧＬ＝（ＩＭＧＩＮ÷１０２３）＾２．２×４０００  ・・・  （１）
続いて画像処理部１０５は、入力画像データの輝度範囲から表示する輝度範囲に変換する処理を行う。表示レンジ情報をＬＬ〜ＬＨ（ｎｉｔ）とすると、レンジ変換処理後の表示画像データの階調値ＤＩＳＰＯＵＴは、以下の式（３）のように表される。
【００２９】
ＤＩＳＰＯＵＴ＝（（ＩＭＧＬ―ＬＬ）÷（ＬＨ−ＬＬ））＾（１÷２．２）×１０２３  ・・・  （２）
図４は、入力画像データの階調値ＩＭＧＩＮと、レンジ変換処理後の表示画像データの階調値ＤＩＳＰＯＵＴとの関係図である。図４において、横軸は入力階調値（階調値ＩＭＧＩＮ）、縦軸は表示階調値（階調値ＤＩＳＰＯＵＴ）をそれぞれ示している。図４中の実線１５１で示される表示階調値は、入力階調値ＡからＢの範囲内に階調を割り当てるようになっている。これは、表示レンジ情報の低輝度階調値ＬＬから高輝度関連値ＬＨまでの範囲を表示するようにレンジ変換処理を行うためである。
【００３０】
図５は、入力画像データの輝度値（入力輝度値）とレンジ変換処理後の表示画像データの輝度（表示輝度値）との関係図である。図５において、横軸は入力輝度値、縦軸は表示輝度値をそれぞれ示している。図５中の実線１５２は、表示輝度特性を示し、入力輝度値ＬＬ〜ＬＨの範囲が表示される。図５中の破線１５３は、表示可能な最小輝度範囲が広い表示装置において表示レンジ情報の低輝度関連値を０ｎｉｔに近い値に調整した際の表示輝度特性を示している。実線１５２と破線１５３、すなわち表示レンジ情報の低輝度関連値をＬＬに調整した場合と低輝度関連値を０ｎｉｔに近い値に調整した場合とでは、低輝度側の表示に差が発生する。例えば、表示可能な最小輝度が高い表示装置と表示可能な最小輝度範囲が低い表示装置とを見比べる場合、両方の表示装置の低輝度関連値ＬＬを表示可能な最小輝度が高い表示装置に揃えて調整しておくことにより、表示画像データは同じ輝度で表示されることとなる。
【００３１】
好ましくは、本実施例において、画像処理部１０５は、第１範囲のうち第２範囲よりも低輝度側の範囲（例えば、０〜ＬＬの範囲）における入力画像データの輝度関連値を、一定の低輝度関連値（例えば、ＬＬ）に変換する。より好ましくは、第２範囲（ＬＬ〜ＬＨの範囲）において、表示画像データの輝度関連値は入力画像データの輝度関連値と等しい。また好ましくは、表示レンジ情報取得部１０４は、高輝度関連値と表示コントラストとに基づいて低輝度関連値を決定する。ここで表示コントラストは、表示部１０６に表示可能な最大輝度と最小輝度との比である。
【００３２】
以上、本実施形態によれば、表示レンジ情報の低輝度関連値をユーザインタフェース部１０３を介して調整することにより、表示可能な輝度関連範囲の異なる複数の表示装置を用いる際に低輝度側の視認性を向上することができる。また、図３に示されるＧＵＩを用いることにより、表示レンジ情報の高輝度関連値と低輝度関連値とを同時に調整することが可能となる。このため、ＨＤＲなどの広い輝度範囲を有する画像信号を狭い輝度範囲を有する表示装置で表示する際の輝度調整の利便性を向上することができる。
【実施例２】
【００３３】
次に、図６を参照して、本発明の実施例２におけるユーザインタフェース部１０３が表示するＧＵＩ表示について説明する。図６は、本実施例におけるＧＵＩ表示の一例である。図６において、ＧＵＩは、輝度関連調整範囲を示す調整バー３０１および矢印３０２から構成される。矢印３０２は表示レンジの輝度範囲（表示輝度範囲）を示し、矢印３０２の右端が高輝度関連値、左端が低輝度関連値をそれぞれ示す。
【００３４】
本実施例によれば、表示輝度範囲が矢印で表示されるため、一般的なダイナミックレンジのイメージと同様に直感的に表示輝度範囲を調整することができる。なお本実施例において、表示部１０６の操作画面上に表示輝度範囲を矢印で表示しているが、本発明はこれに限定されるものではなく、例えば輝度表示範囲を示す線と輝度表示範囲の端を示す丸や線との組み合わせなどを用いてもよい。
【実施例３】
【００３５】
次に、図７を参照して、本発明の実施例３におけるユーザインタフェース部１０３が表示するＧＵＩ表示について説明する。図７は、本実施例におけるＧＵＩ表示の一例である。図７において、ＧＵＩは、ユーザにより調整可能な輝度関連調整範囲を示す調整バー４０１および矢印４０２から構成される。本実施例は、調整バー４０１の目盛りが対数表記となっている点で、実施例２と異なる。
【００３６】
例えば、表示装置１００の表示コントラストを１０００：１、高輝度関連値を２０００ｎｉｔとすると、低輝度関連値の最小値は２ｎｉｔとなる。低輝度関連値を２ｎｉｔから２０ｎｉｔに調整する場合、図６を参照して説明した実施例２では、ＧＵＩの調整バー３０１の目盛りは実数表記となっているため、矢印３０２の左端を少し動かすだけで低輝度関連値は大きく変化し、細かい調整が難しい。一方、図７に示される調整バー４０２の目盛りは対数表記となっているため、図６に示される調整バー３０１よりも特に低輝度側で細かい調整が容易となる。
【００３７】
また、例えば、表示装置１００の表示コントラストが１０００：１の場合、調整バー４０１の目盛りが対数表記であると矢印４０２の最大の長さは３目盛分で固定となり、矢印４０２の長さは表示輝度に依存しない。図８は、図７中の矢印４０２を右方向に移動させた状態を示す図である。図８において、矢印４０３の長さは図７中の矢印４０２の長さと同じである。従って、例えば、調整バー４０１の中央を掴むと矢印４０２の左端と右端とが同時に平行移動するようにしてもよい。
【００３８】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００３９】
各実施例によれば、入力画像データと異なる輝度範囲の表示画像データを表示する際に、低輝度の視認性が高い画像を表示可能な表示装置、表示装置の制御方法、および、プログラムを提供することができる。
【００４０】
以上、本発明の好ましい実施例について説明したが、本発明はこれらの実施例に限定されず、その要旨の範囲内で種々の変形及び変更が可能である。
【符号の説明】
【００４１】
１００  表示装置
１０２  信号レンジ情報取得部（第１取得部）
１０４  表示レンジ情報取得部（第２取得部）
１０５  画像処理部
１０６  表示部
【図１】
2019169819.tif 000003
【図２】
2019169819.tif 000004
【図３】
2019169819.tif 000005
【図４】
2019169819.tif 000006
【図５】
2019169819.tif 000007
【図６】
2019169819.tif 000008
【図７】
2019169819.tif 000009
【図８】
2019169819.tif 000010